(57)【要約】【課題】注射をする時間帯に応じて注射量を自動的に調節することができる、操作が簡易な注射装置を提供する。【解決手段】注射針２を装着する注射針装着部、注射針２に薬剤を押し出すピストン１２３、ピストン１２３の押し出し量を設定する設定部、計時装置、及び計時装置からの時間情報に基づいて注射量を算出する演算部を備え、算出した注射量に応じて、設定部を自動的に調節して、ピストン１２３の押し出し量を設定する調節部を有する注射装置１０１。【選択図】  図１
2004261274.tif 000002
【特許請求の範囲】
【請求項１】
注射針を装着するための注射針装着部、前記注射針に薬剤を押し出すためのピストン、前記ピストンの押し出し量を設定する設定部、計時装置、及び前記計時装置からの時間情報に基づいて注射量を算出する演算部を備え、前記算出した注射量に応じて、前記設定部を自動的に調節して、前記ピストンの押し出し量を設定する調節部を有する注射装置。
【請求項２】
時間情報と注射量との関係を示す演算テーブルを記憶する記憶部をさらに備えることを特徴とする、請求項１記載の注射装置。
【請求項３】
薬剤がインスリンであることを特徴とする、請求項１または２記載の注射装置。
【請求項４】
算出した注射量を手動で補正するための補正部をさらに備えることを特徴とする、請求項１〜３のいずれか１項に記載の注射装置。
【請求項５】
補正部が、互いに形状の異なる少なくとも２つのボタンであることを特徴とする、請求項４記載の注射装置。
【請求項６】
調節部が、補正部から指示された補正すべき注射量に応じて、設定部を自動的に調節して、ピストンの押し出し量を設定することを特徴とする、請求項４または５記載の注射装置。
【請求項７】
記憶部がユーザのスケジュールを記憶しており、演算部が、計時装置からの時間情報及び前記スケジュールに基づいて注射量を算出することを特徴とする、請求項２記載の注射装置。
【請求項８】
注射装置に供給された薬剤の種類及び残量を検出する薬剤検出部を備え、記憶部が、薬剤の種類及び残量を履歴データとして記憶することを特徴とする、請求項２または７記載の注射装置。
【請求項９】
外部とデータの入力若しくは出力または入出力を行うデータ入出力部をさらに備えることを特徴とする、請求項１〜８のいずれか１項に記載の注射装置。
【発明の詳細な説明】
【０００１】
【発明の属する技術分野】
本発明は、患者自身が注射を行う際に、注射薬剤量を規定するのを支援する注射装置に関する。
【０００２】
【従来の技術】
患者自身が注射を行う一例として、糖尿病の患者が合併症の予防のために行うインスリン療法等が挙げられる。糖尿病は、膵臓から分泌されるインスリンが不足するためにおこる代謝異状による疾患である。現在、この糖尿病の治療法として、インスリンを注射により補充することで、血糖値をコントロールするインスリン療法が広く用いられている。医師が糖尿病の患者を診断して、インスリンの注射量や注射の頻度を指示し、患者は医師の指示にしたがって自己注射を行う（例えば、特許文献１参照）。
【０００３】
【特許文献１】
特開平１１−２６７２０７号公報
【０００４】
【発明が解決しようとする課題】
しかし、例えば１日のインスリン注射回数が４回で、注射をする時間帯が朝食前、昼食前、夕食前及び就寝前である患者の場合、同じ時間帯における注射薬剤の種類及び注射量は毎日一定であることが多いが、時間帯が異なると注射薬剤の種類及び注射量が異なることが多い。そのため、注射薬剤の種類に合わせて複数の注射器を使用する患者が多かった。また、患者は注射量を手動で毎回設定し直さなければならず、患者にとって操作が煩雑で手間がかかるという欠点があった。
【０００５】
そこで、本発明は、注射をする時間帯に応じて注射量を自動的に調節することができる、操作が簡易な注射装置を提供することを目的とする。
【０００６】
【課題を解決するための手段】
上記課題を解決するために、本発明の注射装置は、注射針を装着するための注射針装着部、前記注射針に薬剤を押し出すためのピストン、前記ピストンの押し出し量を設定する設定部、計時装置、及び前記計時装置からの時間情報に基づいて注射量を算出する演算部を備え、前記算出した注射量に応じて、前記設定部を自動的に調節して、前記ピストンの押し出し量を設定する調節部を有する。
【０００７】
【発明の実施の形態】
本発明の注射装置は、注射針を装着するための注射針装着部、前記注射針に薬剤を押し出すためのピストン、前記ピストンの押し出し量を設定する設定部、計時装置、及び前記計時装置からの時間情報に基づいて注射量を算出する演算部を備え、前記算出した注射量に応じて、前記設定部を自動的に調節して、前記ピストンの押し出し量を設定する調節部を有する。このようにすると、１日のうち時間帯によって注射量が変化する場合にも、適切な注射量を自動的に求めることができ、時刻とともに異なる注射量を常に記憶しておく必要がない。また、患者は手動で注射量を毎回設定する手間が省け、簡易な操作で注射を行うことができる。
【０００８】
ここで、時刻、１日における時間帯等の時間情報と注射量との関係を示す演算テーブルを記憶する記憶部をさらに備えることが好ましい。
【０００９】
ここで、計時装置としては、時計、タイマー等が挙げられる。また、注射する薬剤としては、成長ホルモン及びメラトニン等のホルモン製剤、インスリン等が挙げられる。ここで、注射する薬剤はインスリンであることが好ましい。
【００１０】
さらに、算出した注射量を手動で補正するための補正部を備えることが好ましい。このようにすると、自動的に調節された注射量を、患者自身の体質、行動、食事の有無等に合わせて補正することができる。
【００１１】
ここで、補正部としては、互いに形状の異なる少なくとも２つのボタン、左右（又は前後）に移動して補正量を増減させるレバー、回転量により補正量を増減するダイヤル等が挙げられる。この中では、補正部が、互いに形状の異なる少なくとも２つのボタンであることが好ましい。このようにすると、補正のため増加と減少の操作を簡便に行うことができる。また、糖尿病では合併症のため視力が弱くなる患者も多いが、視力が弱った患者にとっても補正方法が分かりやすいという利点を有する。
【００１２】
さらに、調節部が、補正部から指示された補正すべき注射量に応じて、前記設定部を自動的に調節して前記ピストンの押し出し量を設定することが好ましい。このようにすると、簡易な操作により、注射量の補正を行うことができる。
【００１３】
また、記憶部がユーザのスケジュールを記憶しており、演算部が、計時装置からの時間情報及び前記スケジュールに基づいて注射量を算出し、調節部が、算出された注射量に応じて、設定部を自動的に調節して、ピストンの押し出し量を設定することが好ましい。このようにすると、運動、出張等の患者の行動予定に合わせて、注射量を自動的に調節することができ、操作性が向上する。
【００１４】
さらに、注射装置に供給された薬剤の種類及び残量を検出する薬剤検出部を備え、記憶部が、薬剤の種類及び残量を履歴データとして記憶することが好ましい。このようにすると、履歴データを後から参照することにより、糖尿病患者が、インスリン注射が原因で低血糖の症状を起こした場合等において、後から時間情報及び注射量の履歴を確認して、以後の注射量を決める重要な情報とすることができる。
【００１５】
また、外部とデータの入力若しくは出力または入出力を行うデータ入出力部をさらに備えることが好ましい。
【００１６】
以下、本発明の実施の形態について図面を参照しながら詳細に説明する。
【００１７】
（実施の形態１）
図１は、本発明の実施の形態１に係る注射システム１を示す。注射システム１は、注射装置１０１及び注射針２からなる。注射装置１０１は、注射針２を装着する注射針装着部（図示しない）、インスリンを収納するインスリンカートリッジ１２１、このインスリンカートリッジ１２１を装着して保持するインスリンホルダ１２２、インスリンカートリッジ１２１内のインスリンを注射針２の方向に押し出すピストン１２３、ディスプレイ上に情報を表示する表示部１３０、データ入力部を兼ねた補正量入力ボタン１８０、１８１、注射動作を行う注射ボタン１２５、及び注射装置内のＣＰＵ（図示しない）と外部のパーソナル・コンピュータ（以下、ＰＣと略称する）等とのデータ入出力を介する入出力端子１４１を有している。さらに、注射装置１０１は、少なくとも時分を計測する時計機能を有する計時装置（図示しない）を備えている。
【００１８】
図２は、本実施の形態１に係る調節部の要部を示す概略図である。ここで、モータ１９は、モータ支持部１９０で注射装置１０１に固定されている。まず、注射装置１０１内のＣＰＵによって求めたインスリン量に対応して、モータ１９がＣＰＵに制御され回転する。次に、このモータ１９の回転が、歯車１９１を介して、設定部１２４に伝えられる。設定部１２４は、この回転量に応じて注射ボタン１２５を、図２の矢印Ａ方向（ピストン１２３がインスリンを注射針２に押し出す方向を注射方向とすると、この注射方向の反対の方向）に移動させる。これにより、注射ボタン１２５は、この移動量の分、注射方向にピストン１２３を移動させることが可能となる。以上の機構により、算出したインスリンの量から、注射するインスリン量の設定が自動的になされる。
【００１９】
注射装置１０１の構成の詳細について、図３を用いて説明する。図３は、本発明の実施の形態１に係る注射装置１０１の構成を示す機能ブロック図である。ここで、図１と同じ構成には同符号を付してある。
【００２０】
図３において、注射装置１０１は、少なくとも時分を計時する機能を有する時計、タイマー等の計時装置１１、参照テーブル等を入力するデータ入力部１４０、及びメモリ１６の情報を参照して演算処理等を行う演算部としてのＣＰＵ１５を備えている。また、メモリ１６は、日時分等の時間情報と注射量との対応を示す参照テーブルを記憶する参照テーブル格納エリア１６１、及び日時分等の時間情報、注射の種類、注射量等の履歴データを記憶する履歴データ格納エリア１６２を有している。なお、データ入力部１４０は、補正量入力部１８と別々に設けてもよいが、図１のように、データ入力部は、補正量入力部を兼ねてもよい。
【００２１】
注射装置１０１は、ＣＰＵ１５からの指令を受けて、インスリンの情報（残量、種類等）を検出するインスリン検出部１７０及び注射針２が装着されているか否かを検出する注射針検出部１７１を有している。ここで、検出されたインスリンの種類と、参照テーブルにおけるインスリンの種類が異なるときは、表示部１３０または後述するスピーカ１３１を用いて警告を発してもよい。また、入出力端子１４１は、外部のＰＣ３と接続される。ここでＰＣに代えて、ＰＤＡ、ネットワークに接続可能な通信機器等を用いてもよい。また、この入出力端子１４１に、小型のメモリカードを挿入して、データを入出力するようにしてもよい。
【００２２】
また、注射装置１０１は、音声処理部１３２とスピーカ１３１を備えてもよい。音声処理が施された注射量に関するメッセージや警告音を、スピーカ１３１が発音してもよい。特に、糖尿病の合併症で視力の弱ったユーザにとっては、音声による通知が好ましい。
【００２３】
次に、本実施の形態１に係る注射装置１０１を用いた、ユーザ及び注射装置１０１の動作について、図４及び図５を用いて説明する。なお、ユーザの一例である糖尿病患者が、血糖値を下げる働きを担うインスリンを自ら注射する場合について説明する。図４は、同実施の形態１に係る注射装置１０１の処理の流れを示すフローチャートである。
【００２４】
ユーザはインスリン注射に先立って、注射をする時間帯と、注射薬剤の種類及び注射量との関係を示す参照テーブル（個人差、注射する時間、食事の有無、運動の有無等種々の条件に応じて医師の指導により決定される）を、図３に示すデータ入力部１４０から、または入出力端子１４１を介してＰＣ３から入力しておく。このとき、注射装置１０１は、入力された参照テーブルを、メモリ１６上の参照テーブル格納エリア１６１に記憶する。
【００２５】
図５は、参照テーブル格納エリア１６１に記憶されている参照テーブルの一例を示す。参照テーブルは、患者の体質、生活習慣等に配慮して、医師の指導の基に設定される。なお、参照テーブルにおける時間帯、インスリンの種類及び注射量については、医師の指導及び患者の経験等によって、データ入力部から入力して書き換えることが可能である。図５において、Ｒは速効型インスリンを、Ｎは持続型インスリンを表し、数値はインスリンの注射量を表している。ここで、「単位」は、インスリンの生物学的活性の強さを示しており、国際標準品に準じて重量に換算した場合、１単位は０．０３５３ｍｇとなる。
【００２６】
図１に示す注射システム１において、ユーザは、インスリン注射の準備として、注射針２を装着する。この後、ユーザは、インスリンが充分量インスリンカートリッジ１２１に収納されているかを確認し、必要によって新たなインスリンカートリッジ１２１を取りつける。以上で、インスリン注射の準備は終了する。
【００２７】
ユーザが注射装置１０１の電源スイッチ（図示せず）をＯＮにすることで、注射装置１０１の処理が開始される。以下、図４に示すフローチャートに従って、注射装置１０１の処理の流れを説明する。なお、注射針２が注射装置１０１に装着されると、自動的に注射装置１０１の電源スイッチが入るようにしても構わない。
【００２８】
はじめに注射装置１０１は、インスリンの残量が、一定量以上であるか否かを判別する（ステップＳ１）。具体的には、図３のインスリン検出部１７０が、インスリンカートリッジ１２１が装着されているかを確認し、次にピストン１２３の位置からインスリンの残量を検出する。インスリンカートリッジ１２１が装着されていない場合またはインスリンの残量が一定量の閾値（一回のインスリンの注射に必要なインスリン量）以下である場合（ステップＳ１；Ｎｏ）、注射装置１０１は、インスリンの残量がないと認識し、インスリンカートリッジ１２１の交換の通知を行う（ステップＳ２）。具体的には、図３に示す表示部１３０が、インスリンカートリッジを交換するよう喚起する表示を行う。また、音声処理部１３２で音声処理が施された警告音やメッセージを、スピーカ１３１が発音してもよい。特に、糖尿病の合併症で視力の弱ったユーザにとっては、音声による通知が好ましい（以下、本明細書における「通知」において同じ）。ユーザが、インスリンカートリッジ１２１を交換すれば、再びステップＳ１から処理が開始される。これにより、インスリンの残量が不足して、設定したインスリン量を注射できないことを回避できる。なお、インスリン検出部１７０は、インスリンカートリッジ１２１の情報からインスリンの種類を検出する機能を備えていてもよい。
【００２９】
インスリンカートリッジ１２１が装着されており、かつインスリンの残量が閾値より大きい場合（ステップＳ１；Ｙｅｓ）、注射装置１０１は、注射針２が、注射針装着部に確実に装着されているか否かを判別する（ステップＳ３）。具体的には、注射針装着部に設けた、注射針２が装着されると導通するスイッチ（図示せず）の導通を、注射針検出部１７１で検出して、注射針２が確実に装着されているか否かを検出する。注射針検出部１７１でスイッチの導通が確認できない場合（ステップＳ３；Ｎｏ）、注射針２が確実に装着されていないと認識し、針装着通知が行われる（ステップＳ４）。これにより、インスリン注射の際に、注射針２が外れるといった危険を回避できる。ユーザが、注射針２を装着すれば、再びステップＳ１から処理が開始される。
【００３０】
次に、注射装置１０１は、インスリン量の演算を行う（ステップＳ５）。具体的には、図３に示すＣＰＵ１５（演算部）が、メモリ１６上の参照テーブル格納エリア１６１に記憶されている、時間帯に対応したインスリン量を示す参照テーブルを参照して、使用している時刻からインスリン量を算出する。一例として、参照テーブル格納エリア１６１に記憶されている参照テーブルが、図５に示すテーブルである場合について述べる。ＣＰＵ１５は、使用している時刻を計時装置１１により検知し、この時刻に応じて、図５のテーブルから、朝食前、昼食前、夕食前、就寝前のいずれかを選択する。そして、ＣＰＵ１５は、選択した時間帯に対応するインスリン量を算出する。
【００３１】
次に、注射装置１０１は、インスリン量の自動調節を行う（ステップＳ６）。具体的には、図３において、ＣＰＵ１５と、ＣＰＵ１５により制御されるモータ１９とが調節部として機能して、算出したインスリン量に応じて、設定部１２４を調節する。これにより、ユーザは、自身でインスリン量を設定する手間を省き、インスリン注射の時間を短縮することができる。続いて、注射装置１０１は、算出したインスリン量を通知する（ステップＳ７）。
【００３２】
ユーザは、必要であれば食事量や運動量等も考慮して、インスリンの設定量を補正してもよい。具体的には、ユーザは、図１の補正量入力ボタン１８０または１８１を押すことで、インスリンの設定量を増減させる。すると、注射装置１０１は、ユーザから補正量の入力の指示があるか否かを判別する（ステップＳ８）。具体的には、インスリン量の自動調節（ステップＳ６）の後、一定期間の間に、図３の補正量入力部１８から補正指令がＣＰＵ１５にあるか否かにより判別を行う。
【００３３】
補正指令があると判別された場合（ステップＳ８；Ｙｅｓ）、ユーザに対して、補正により変更されたインスリンの設定量が通知され（ステップＳ９）、この補正して増減したインスリンの量に応じて、再びインスリン量の自動調節（ステップＳ１０）が行われる。すなわち、図３のＣＰＵ１５と、ＣＰＵ１５により制御されるモータ１９とが調節部として機能して、補正されたインスリンの量に応じて設定部１２４を自動的に調節する。
【００３４】
次ぎに、注射装置１０１は、インスリンをユーザが注射するよう通知を行う（ステップＳ１１）。この通知に応じて、ユーザは注射針２を自己の人体に刺し、注射ボタン１２５を押す。これにより、注射装置１０１のピストン１２３がインスリンカートリッジ１２１内のインスリンを注射針２に押し、設定量のインスリンがユーザに注射され、インスリン注射が終了する。
【００３５】
最後に、注射装置１０１は、メモリ１６上の履歴データ格納エリア１６２に、算出したインスリン量、設定したインスリン量を、インスリンの種類、使用した日及び時分と共に記憶する（ステップＳ１２）。
【００３６】
なお、参照テーブルは不変としたが、補正後のインスリン量を参照テーブル上に書き込むことにより、参照テーブルが更新されるようにしてもよい。
【００３７】
以上説明した本実施の形態１に係る注射装置は、次のような効果を有する。第１に、操作性が向上する。従来は注射量を手動で毎回設定し直さなければならず、患者にとって手間であったが、本発明によれば、使用する時間帯に応じて自動的に注射量を設定することができるため、操作が簡易になる。
【００３８】
第２に、一度設定された注射量の補正を容易に行うことができる。運動、間食等によって注射液量が増減する場合にも対応が可能である。さらに、補正後の注射量の設定を自動的に行うことができ、簡易な操作により注射量を補正することができる。
【００３９】
第３に、注射装置１０１は、測定した血糖値、算出したインスリン量、設定したインスリン量（すなわち注射したインスリン量）、インスリンの種類を、少なくとも測定した日又は時分とともに、履歴データとして記憶するので、ユーザは、この履歴を病状の把握や自己管理に役立てることができる。
【００４０】
この履歴データを、ユーザが、入出力端子１４１を介して出力してもよい。また、ユーザが、運動または間食の有無や気づいたことをメモとして残したい場合、キーボード等の入力手段を有するワープロ、コンピュータまたは携帯電話等の機器から、入出力端子１４１を介して、文章を入力してもよい。出力された履歴データの一例を図６に示す。また、この履歴データを、ユーザが、入出力端子１４１を介しネットワークを経由して医師に送信し、医師の適切な処置を受けることも可能である。例えば、医師がこの履歴データに基づいて、血糖値に対応したインスリン量を示すテーブルを新たに作成し、再びネットワークを経由して入出力端子１４１に送信すれば、注射装置１０１は、参照テーブル格納エリア１６１に記憶されている参照テーブルを更新するようにしてもよい。
【００４１】
（実施の形態２）
図７は、本実施の形態２に係る注射装置１０１の構成を示す機能ブロック図である。図７において、図３と同じ構成には同符号が付されている。実施の形態１との相違点は、メモリ１６が、スケジュールを記憶するスケジュール格納エリア１６６及び行動内容と注射補正量との対応を示す補正テーブルを記憶する補正テーブル格納エリア１６７を有する点、並びに補正量入力部１８を備えていない点である。
【００４２】
本実施の形態２に係る注射装置１０１を用いた、ユーザ及び注射装置１０１の動作について、図８を用いて説明する。図８は、同実施の形態２に係る注射装置１０１の処理の流れを示すフローチャートである。
【００４３】
実施の形態１と同様に、ユーザはインスリン注射に先立って、注射をする時間帯と、注射薬剤の種類及び注射量との関係を示す参照テーブル（個人差、注射する時間、食事の有無、運動の有無等種々の条件に応じて医師の指導により決定される）を、図７に示すデータ入力部１４０から、または入出力端子１４１を介してＰＣ３から入力しておく。このとき、注射装置１０１は、入力された参照テーブルを、メモリ１６上の参照テーブル格納エリア１６５に記憶する。
【００４４】
さらに、ユーザは、医師の指導の基に、ユーザ自身の体質、経験に合わせて、図９のような補正テーブルを、データ入力部１４０から、または入出力端子１４１を介してＰＣ３から入力しておく。このとき、注射装置１０１は、入力された補正テーブルを、メモリ１６上の補正テーブル格納エリア１６７に記憶する。
【００４５】
図９は、補正テーブル格納エリア１６７に記憶されている補正テーブルの一例を示す。この補正テーブルは、運動等の行動によって注射量を補正する場合に参照するテーブルとして、ユーザの未来の行動内容と注射補正量との関係を示したものである。
【００４６】
次に、ユーザは、ユーザ自身のスケジュールを図７に示すデータ入力部１４０から、または入出力端子１４１を介してＰＣ３から入力しておく。このとき、注射装置１０１は、入力されたスケジュールを、メモリ１６上のスケジュール格納エリア１６６に記憶する。
【００４７】
スケジュールの入力例を図１０に示す。ここでは、図９に示すように、各行動を表す符号（一例として、Ａ〜Ｅ）をあらかじめ決めておき、その符号を図１０中のスケジュール表に入力した。
【００４８】
実施の形態１と同様に、図１に示す注射システム１において、ユーザは、インスリン注射の準備として、注射針２を装着する。この後、ユーザは、インスリンが充分量インスリンカートリッジ１２１に収納されているかを確認し、必要によって新たなインスリンカートリッジ１２１を取りつける。以上で、インスリン注射の準備は終了する。
【００４９】
ユーザが注射装置１０１の電源スイッチ（図示せず）をＯＮにすることで、注射装置１０１の処理が開始される。以下、図８に示すフローチャートに従って、注射装置１０１の処理の流れを説明する。なお、注射針２が注射装置１０１に装着されると、自動的に注射装置１０１の電源スイッチが入るようにしても構わない。
【００５０】
また、注射装置１０１の電源がオン状態になることにより開始されるインスリン残量の検出（ステップＳ２１）から、注射針の検出（ステップＳ２３）及び針装着の通知が行われる（ステップＳ２４）までは、実施の形態１の図４に示すフローチャートのステップＳ１からＳ４までと同様であり、説明を省略する。以下フローチャートのステップＳ２５から説明する。
【００５１】
注射針の検出（ステップＳ２３）及び針装着の通知が行われた（ステップＳ２４）後、注射装置１０１は、インスリン量の演算を行う（ステップＳ２５）。具体的には、図７に示すＣＰＵ１５（演算部）が、メモリ１６上の参照テーブル格納エリア１６５に記憶されている、時間帯に対応したインスリン量を示す参照テーブルを参照して、使用している時刻からインスリン量を算出する。
【００５２】
次に、注射装置１０１は、インスリン量の補正が必要であるか否かを判別する（ステップＳ２６）。具体的には、図７に示すＣＰＵ１５（演算部）が、メモリ１６上のスケジュール格納エリア１６６に記憶されている、ユーザの行動予定を示すスケジュール表を参照して、その時間帯に行動予定があるか否かを判別する。
【００５３】
行動予定があると判別された場合（ステップＳ２６；Ｙｅｓ）、図７に示すＣＰＵ１５（演算部）が、メモリ１６上の補正テーブル格納エリア１６７に記憶されている、行動内容と注射補正量との関係を示す補正テーブルを参照して、インスリンの補正量を算出し、ステップＳ２５で求めたインスリン量を補正する（ステップＳ２７）。スケジュールに基づいてインスリン量が補正された場合（ステップＳ２７）、または行動予定がないと判別された場合（ステップＳ２６；Ｎｏ）、注射装置１０１は、実施の形態１と同様に、インスリン量の自動調節を行う（ステップＳ２８）。続いて、注射装置１０１は、算出したインスリン量を通知する（ステップＳ２９）。
【００５４】
次ぎに、注射装置１０１は、インスリンをユーザが注射するよう通知を行う（ステップＳ３０）。この通知に応じて、ユーザは注射針２を自己の人体に刺し、注射ボタン１２５を押す。これにより、注射装置１０１のピストン１２３がインスリンカートリッジ１２１内のインスリンを注射針２に押し、設定量のインスリンがユーザに注射され、インスリン注射が終了する。
【００５５】
最後に、注射装置１０１は、メモリ１６上の履歴データ格納エリア１６８に、算出したインスリン量、設定したインスリン量を、インスリンの種類、使用した日及び時分と共に記憶する（ステップＳ３１）。
【００５６】
以上説明した本実施の形態２に係る注射装置は、実施の形態１と同様に、次のような効果を有する。第１に、操作性が向上する。従来は注射量を手動で毎回設定し直さなければならず、患者にとって手間であったが、本発明によれば、使用する時間帯に応じて自動的に注射量を設定することができるため、操作が簡易になる。
【００５７】
第２に、注射装置１０１は、測定した血糖値、算出したインスリン量、設定したインスリン量（すなわち注射したインスリン量）、インスリンの種類を、少なくとも測定した日又は時分とともに、履歴データとして記憶するので、ユーザは、この履歴を病状の把握や自己管理に役立てることができる。
【００５８】
さらに本実施の形態によると、上記の効果に加えて、運動、出張等のユーザの行動予定を利用して補正を自動的に行うことができ、ユーザが自身の行動に合わせてインスリン量を毎回補正する手間を省くことができる。さらに、医師は患者に対して、図９の補正テーブルを用いることで、患者の行動に応じたきめ細かな注射量補正を指導及び教育することができる。
【００５９】
【発明の効果】
本発明によれば、注射をする時間帯に応じて注射量を自動的に調節することができ、操作が簡易な注射装置を提供することができる。
【図面の簡単な説明】
【図１】本発明の実施の形態１に係る注射システムを示す斜視図
【図２】同注射装置における調整部の要部を示す概略図
【図３】同注射装置の構成を示す機能ブロック図
【図４】同注射装置の処理の流れを示すフローチャート
【図５】同注射装置において用いた、注射をする時間帯と、注射薬剤の種類及び注射量との関係を示す参照図
【図６】同注射装置において出力した履歴データを示す図
【図７】本発明の実施の形態２に係る注射装置の構成を示す機能ブロック図
【図８】同注射装置の処理の流れを示すフローチャート
【図９】同注射装置において用いた、行動内容と注射補正量との関係を示す補正図
【図１０】同注射装置において用いた、ユーザのスケジュールを示す図
【符号の説明】
１  注射システム
１０１  注射装置
１１  計時装置
１２１  インスリンカートリッジ
１２２  インスリンホルダ
１２３  ピストン
１２４  設定部
１２５  注射ボタン
１３０  表示部
１３１  スピーカ
１３２  音声処理部
１４０  データ入力部
１４１  入出力端子
１５  ＣＰＵ
１６  メモリ
１６１，１６５  参照テーブル格納エリア
１６２，１６８  履歴データ格納エリア
１６６  スケジュール格納エリア
１６７  補正テーブル格納エリア
１７０  インスリン検出部
１７１  注射針検出部
１８  補正量入力部
１８０，１８１  補正量入力ボタン
１９  モータ
１９０  モータ支持部
１９１  歯車
２  注射針
３  ＰＣ
【図１】
2004261274.tif 000003
【図２】
2004261274.tif 000004
【図３】
2004261274.tif 000005
【図４】
2004261274.tif 000006
【図５】
2004261274.tif 000007
【図６】
2004261274.tif 000008
【図７】
2004261274.tif 000009
【図８】
2004261274.tif 000010
【図９】
2004261274.tif 000011
【図１０】
2004261274.tif 000012